(57)【要約】【課題】排紙トレイへ排出された記録用紙の取り出しを円滑かつ容易に実行することが可能な画像形成装置および排紙トレイ切り替え方法を提供する。【解決手段】排紙分配設定手段３５は、操作表示部３４への入力（指示）に基づいて第１排紙トレイ５５および第２排紙トレイ５６のいずれへ記録用紙をどのような分配枚数で排出するか設定する。つまり、排紙分配設定手段３５は、印字要求に対応して排出される記録用紙の枚数（排紙枚数）について分配区分を設定することにより、排紙分配先に予め割り当てた分配枚数に基づいて各排紙トレイ（第１排紙トレイ５５および第２排紙トレイ５６）へ記録用紙を分配する機能を有する。【選択図】図３
2008019042.tif 000002
【特許請求の範囲】
【請求項１】
排紙分配先としての第１排紙トレイおよび第２排紙トレイへ印字した記録用紙を排出する排紙ユニットを備える画像形成装置であって、
前記第１排紙トレイおよび前記第２排紙トレイそれぞれへ排出する記録用紙の分配区分の設定に応じて、前記第１排紙トレイへ排出した記録用紙が前記第１排紙トレイの収納容量未満の分配枚数で前記第１排紙トレイから前記第２排紙トレイへ排出先を切り替える構成としてあること
を特徴とする画像形成装置。
【請求項２】
前記分配区分を設定するための排紙分配設定手段を備えることを特徴とする請求項１に記載の画像形成装置。
【請求項３】
前記分配区分は、排紙枚数に基づいて設定してあることを特徴とする請求項１または請求項２に記載の画像形成装置。
【請求項４】
前記分配区分は、排紙部数に基づいて設定してあることを特徴とする請求項１または請求項２に記載の画像形成装置。
【請求項５】
前記分配区分は、ジョブに基づいて設定してあることを特徴とする請求項１または請求項２に記載の画像形成装置。
【請求項６】
前記分配区分は、処理機能モードに基づいて設定してあることを特徴とする請求項１または請求項２に記載の画像形成装置。
【請求項７】
先の排出先とした前記第１排紙トレイへの記録用紙の排出を終了して次の排出先としての前記第２排紙トレイへ排出先を切り替えたとき、前記第１排紙トレイへ排出した記録用紙を外部へ取り出させる取り出し要求報知信号を発生する構成としてあることを特徴とする請求項１ないし請求項６のいずれか一つに記載の画像形成装置。
【請求項８】
先の排出先とした前記第２排紙トレイへの記録用紙の排出を終了して次の排出先としての前記第１排紙トレイへ排出先を切り替えたとき、前記第２排紙トレイへ排出した記録用紙を外部へ取り出させる取り出し要求報知信号を発生する構成としてあることを特徴とする請求項１ないし請求項６のいずれか一つに記載の画像形成装置。
【請求項９】
前記第１排紙トレイへ排出された記録用紙の取り出しを検出する第１取り出し検出手段、および前記第２排紙トレイへ排出された記録用紙の取り出しを検出する第２取り出し検出手段を備え、前記第１排紙トレイからの記録用紙の取り出しが検出されたときに前記第１排紙トレイへの以降の記録用紙の排出を継続し、前記第２排紙トレイからの記録用紙の取り出しが検出されたときに前記第２排紙トレイへの以降の記録用紙の排出を継続する構成としてあることを特徴とする請求項１ないし請求項８のいずれか一つに記載の画像形成装置。
【請求項１０】
前記第１排紙トレイまたは前記第２排紙トレイからの記録用紙の取り出しが検出されないときは、以降の印字処理を停止する構成としてあることを特徴とする請求項１ないし請求項８のいずれか一つに記載の画像形成装置。
【請求項１１】
排紙分配先としての第１排紙トレイおよび第２排紙トレイに印字した記録用紙を排出する排紙ユニットを備える画像形成装置での排紙トレイ切り替え方法であって、
前記第１排紙トレイおよび前記第２排紙トレイそれぞれへ排出する記録用紙の分配区分を設定することにより、前記第１排紙トレイへ排出した記録用紙が前記第１排紙トレイの収納容量未満の分配枚数で前記第１排紙トレイから前記第２排紙トレイへ排出先を切り替えること
を特徴とする排紙トレイ切り替え方法。
【発明の詳細な説明】
【技術分野】
【０００１】
本発明は、複数の排紙トレイを備える画像形成装置およびそのような画像形成装置での排紙トレイ切り替え方法に関する。
【背景技術】
【０００２】
近年の画像形成装置は、従来の画像形成装置に比較して印字速度の高速化が求められるようになっている。印字速度が高速化された画像形成装置では、高速化に伴って印字処理枚数が多くなり、１度の印字ジョブで多量枚数の印字要求がなされる場合がある。
【０００３】
したがって、印字速度が高速化された画像形成装置では、印字ジョブを途中で停止させないために、給紙部に複数の給紙トレイや大容量給紙カセット（ＬＣＣ：Ｌａｒｇｅ  Ｃａｐａｃｉｔｙ  Ｃａｓｓｅｔｔｅ）が配置されている。
【０００４】
他方、排紙収納部は、印字された記録用紙を収納するための排紙トレイが配置されるのみで、多量枚数の印字要求をしても排紙分配先（排紙トレイ）には限界がある。つまり、排出された記録用紙のスタッキング性の向上、画像形成装置の機能として有するシフター機能など、画像形成装置の製作時に考慮された特性を損なうような記録用紙の取り出しが行われる可能性がある。
【０００５】
従来の高速機としての画像形成装置は、例えば６０枚／分程度の印字処理能力であったが、最近の高速機としての画像形成装置は、例えば１００枚／分程度の印字処理能力を有するようになっている。したがって、大量の印字処理を行なうときに、排紙トレイに排出される記録用紙の枚数が大量となり、排紙トレイからの記録用紙の取り出しを円滑に実行することが困難な状態となっている。
【０００６】
すなわち、排紙収納部（排紙トレイ）に多量に排出され収納された記録用紙をユーザが取り出すような場合、例えば１，０００枚程度の記録用紙を収納した状態となっているとき、排出された記録用紙を的確かつ迅速に取り出すことは困難となっているのが実情である。
【０００７】
例えば、１０００枚の収納容量を有する排紙トレイを２段（第１排紙トレイ、第２排紙トレイ）備える高速機の場合、２５００枚の印字処理を行なうとき、第１排紙トレイに１０００枚が排紙され満杯状態となった後、続けて第２排紙トレイに１０００枚が排紙される（例えば、特許文献１参照。）。第２排紙トレイへ記録用紙が排出される状態のときに、第１排紙トレイへ排出された記録用紙を取り出すことが必要となるが、第１排紙トレイから記録用紙を取り出そうとしても、１０００枚の記録用紙は重量が大きく、また、かさばることから簡単に取り出すことは困難である。
【０００８】
つまり、第２排紙トレイに１０００枚が排出され満杯状態となった状態で記録用紙の排出（つまり印字処理）は一端停止することが必要となり、有効な高速印字が行われない状態となる。また、満杯状態の第１排紙トレイ、第２排紙トレイから記録用紙を取り出すことは上述したとおり困難が伴う。
【０００９】
したがって、画像形成装置の高速化に伴い、給紙機能に加えて排紙機能（記録用紙の取り出し容易性）などの周辺機能の向上あるいは変更が必要な状況となっている。
【特許文献１】特開２００１−１７１８８７号公報
【発明の開示】
【発明が解決しようとする課題】
【００１０】
本発明はこのような状況に鑑みてなされたものであり、複数の排紙トレイを備える画像形成装置であって、各排紙トレイへ排出する記録用紙の分配区分を設定して排紙トレイの収納容量未満の分配枚数で排紙分配先としての排紙トレイ（排出先）を切り替える構成とすることにより、排紙トレイへ排出された記録用紙の取り出しを円滑かつ容易に実行することが可能な画像形成装置および排紙トレイ切り替え方法を提供することを目的とする。
【課題を解決するための手段】
【００１１】
本発明に係る画像形成装置は、排紙分配先としての第１排紙トレイおよび第２排紙トレイへ印字した記録用紙を排出する排紙ユニットを備える画像形成装置であって、前記第１排紙トレイおよび前記第２排紙トレイそれぞれへ排出する記録用紙の分配区分の設定に応じて、前記第１排紙トレイへ排出した記録用紙が前記第１排紙トレイの収納容量未満の分配枚数で前記第１排紙トレイから前記第２排紙トレイへ排出先を切り替える構成としてあることを特徴とする。
【００１２】
この構成により、印字要求（印字要求枚数）に対応して排出される記録用紙を排紙分配先に予め割り当てた分配区分に基づいて各排紙トレイへ排出することができることから、各排紙トレイに大量に排出される記録用紙をユーザが処理しやすい分配枚数に調整（設定、選択）することが可能となり、高速かつ大量の印字処理により排紙トレイに収納された記録用紙の取り出しを円滑に実行することが可能となる。
【００１３】
また、本発明に係る画像形成装置では、前記分配区分を設定するための排紙分配設定手段を備えることを特徴とする。
【００１４】
この構成により、排紙分配先に対応させた分配枚数の設定を容易に行なうことが可能となる。
【００１５】
また、本発明に係る画像形成装置では、前記分配区分は、排紙枚数に基づいて設定してあることを特徴とする。
【００１６】
この構成により、排紙枚数に応じて排紙分配先（第１排紙トレイおよび第２排紙トレイ）および分配枚数を設定し、排出先を切り替えることが可能となる。
【００１７】
また、本発明に係る画像形成装置では、前記分配区分は、排紙部数に基づいて設定してあることを特徴とする。
【００１８】
この構成により、排紙部数に応じて排紙分配先（第１排紙トレイおよび第２排紙トレイ）および分配枚数を設定し、排出先を切り替えることが可能となる。
【００１９】
また、本発明に係る画像形成装置では、前記分配区分は、ジョブに基づいて設定してあることを特徴とする。
【００２０】
この構成により、ジョブに応じて排紙分配先（第１排紙トレイおよび第２排紙トレイ）および分配枚数を設定し、排出先を切り替えることが可能となる。
【００２１】
また、本発明に係る画像形成装置では、前記分配区分は、処理機能モードに基づいて設定してあることを特徴とする。
【００２２】
この構成により、処理機能モードに応じて排紙分配先（第１排紙トレイおよび第２排紙トレイ）および分配枚数を設定し、排出先を切り替えることが可能となる。
【００２３】
また、本発明に係る画像形成装置では、先の排出先とした前記第１排紙トレイへの記録用紙の排出を終了して次の排出先としての前記第２排紙トレイへ排出先を切り替えたとき、前記第１排紙トレイへ排出した記録用紙を外部へ取り出させる取り出し要求報知信号を発生する構成としてあることを特徴とする。
【００２４】
この構成により、第２排紙トレイへ記録用紙を排出しているときに第１排紙トレイへ排出された記録用紙の取り出しを確実に実行させることが可能となり、第２排紙トレイへの記録用紙の排出に引き続いてさらに第１排紙トレイへの継続的な記録用紙の排出が可能となる。
【００２５】
また、本発明に係る画像形成装置では、先の排出先とした前記第２排紙トレイへの記録用紙の排出を終了して次の排出先としての前記第１排紙トレイへ排出先を切り替えたとき、前記第２排紙トレイへ排出した記録用紙を外部へ取り出させる取り出し要求報知信号を発生する構成としてあることを特徴とする。
【００２６】
この構成により、第１排紙トレイへ記録用紙を排出しているときに第２排紙トレイに排出された記録用紙の取り出しを確実に実行させることが可能となり、第１排紙トレイへの記録用紙の排出に引き続いてさらに第２排紙トレイへの継続的な記録用紙の排出が可能となる。
【００２７】
また、本発明に係る画像形成装置では、前記第１排紙トレイへ排出された記録用紙の取り出しを検出する第１取り出し検出手段、および前記第２排紙トレイへ排出された記録用紙の取り出しを検出する第２取り出し検出手段を備え、前記第１排紙トレイからの記録用紙の取り出しが検出されたときに前記第１排紙トレイへの以降の記録用紙の排出を継続し、前記第２排紙トレイからの記録用紙の取り出しが検出されたときに前記第２排紙トレイへの以降の記録用紙の排出を継続する構成としてあることを特徴とする。
【００２８】
この構成により、各排紙トレイからの記録用紙の取り出しを確認した後に、以降の記録用紙の排出を継続することから、排紙ジャムを確実に防止することが可能となる。
【００２９】
また、本発明に係る画像形成装置では、前記第１排紙トレイまたは前記第２排紙トレイからの記録用紙の取り出しが検出されないときは、以降の印字処理を停止する構成としてあることを特徴とする。
【００３０】
この構成により、各排紙トレイからの記録用紙の取り出しを確認できないときは、以降の印字処理を停止することから、排紙ジャムを確実に防止することが可能となる。
【００３１】
また、本発明に係る排紙トレイ切り替え方法は、排紙分配先としての第１排紙トレイおよび第２排紙トレイに印字した記録用紙を排出する排紙ユニットを備える画像形成装置での排紙トレイ切り替え方法であって、前記第１排紙トレイおよび前記第２排紙トレイそれぞれへ排出する記録用紙の分配区分を設定することにより、前記第１排紙トレイへ排出した記録用紙が前記第１排紙トレイの収納容量未満の分配枚数で前記第１排紙トレイから前記第２排紙トレイへ排出先を切り替えることを特徴とする。
【００３２】
この構成により、大量印字の場合でも各排紙トレイに所望枚数の記録用紙を排出して排紙トレイを切り替えることが可能となることから、ユーザが処理しやすい範囲の分配枚数に調整することが可能となる。
【発明の効果】
【００３３】
本発明に係る画像形成装置および排紙トレイ切り替え方法によれば、印字要求に応じて排出すべき記録用紙について分配区分を設定して排紙トレイの収納容量未満の分配枚数を各排紙トレイに割り当てることから、各排紙トレイに排出される記録用紙をユーザが処理しやすい分配枚数に調整することが可能となり、高速かつ大量の印字処理により排紙トレイに収納された記録用紙の取り出しを円滑に実行することが可能となるという効果を奏する。
【発明を実施するための最良の形態】
【００３４】
以下、本発明の実施の形態を図面に基づいて説明する。
【００３５】
図１は、本発明の実施の形態に係る画像形成装置の構成概要を示す側面図である。
【００３６】
本実施の形態に係る画像形成装置１は、外部から取得した画像データに対応させて所定のシート（記録用紙）に例えばモノクロ画像を形成する構成としてある。なお、以下において「画像形成」を「印字」として記載することがある。
【００３７】
画像形成装置１は、記録用紙に対する画像形成の処理を行なう画像形成機構部（露光ユニット１１、現像器１２、感光体１３、帯電器１４、クリーナユニット１５、定着ユニット１６など）、画像形成機構部へ給紙搬送路１７ａを介して記録用紙を供給する給紙カセット１８、排紙搬送路１７ｂを介して印字処理を終了した記録用紙を排出する排紙ユニット５０などにより構成してある。なお、給紙搬送路１７ａ、排紙搬送路１７ｂを区別する必要が無い場合は、単に用紙搬送路１７という。
【００３８】
給紙カセット１８は、画像形成に使用するシート（用紙用紙）を供給するためのトレイであり、定型サイズの記録用紙を５００ないし１５００枚収納可能な複数のトレイで構成してある。また、画像形成装置１は、高速印字が可能な構成としてあることから、給紙部としての給紙カセット１８に加えて大容量給紙カセット（以下、ＬＣＣとする。）１８ａが外付けしてある。ＬＣＣ１８ａは、例えば、６０００ないし７０００枚の給紙を行なうことが可能である。この構成により、高速印字の場合でも給紙不足の発生を防止することが可能となり、高速印字の機能を有効に発揮させることができる。
【００３９】
また、画像形成装置１は、外部から画像データを取得する機構としての画像読み取り部１９を備える。画像読み取り部１９は、高速での読み取りを可能とするオート・シート・フィーダ（ＡＳＦ）を備え高速印字に対応する構成としてある。なお、画像読み取り部１９以外の手段によっても画像データを取得することが可能であり、例えば、ファクシミリ通信部３２（図３参照。）により、あるいはデータ通信部３３（図３参照。）により画像データを取得する構成としてあることが好ましい。
【００４０】
これらの画像データの取得態様（取得方法あるいは印字要求）に応じて処理機能モードを変更する構成としてある。例えば、複写機としての機能（コピア機能）、印刷機としての機能（プリンタ機能）、さらに写真電送機としての機能（ファクシミリ機能）に対応する印字要求を処理する処理機能モードを備える構成としてあることが好ましい。
【００４１】
帯電器１４は、感光体１３（感光ドラム）の表面を所定の電位に均一に帯電させるための帯電手段でありチャージャ型の帯電器としてある。なお、チャージャ型以外の接触型（ローラ型やブラシ型）の帯電器を用いることも可能である。
【００４２】
露光ユニット１１は、レーザ照射部および反射ミラーを備えたレーザスキャニングユニット（ＬＳＵ）を用いて構成してある。なお、例えばＥＬやＬＥＤなどの発光素子をアレイ状に並べた書込みヘッドを用いることも可能である。また、露光ユニット１１（画像形成装置１）は、複数のレーザ光を利用した２ビーム画像形成手法を採用し、照射タイミングの高速化を図ることにより高速印字処理が可能な構成としてある。
【００４３】
画像データに対応したレーザビームがレーザ照射部から発生され、帯電器１４によって均一に帯電された感光体１３にレーザビームが照射（入力）される。したがって、感光体１３の表面は入力された画像データに応じたレーザビームにより露光され、感光体１３の表面には、画像データに応じた静電潜像が形成されることとなる。
【００４４】
現像器１２は感光体１３上に形成された静電潜像を黒トナーで顕像化するものである。また、クリーナユニット１５は、現像・画像転写後における感光体１３上の表面に残留したトナーを、除去・回収するものである。
【００４５】
感光体１３上に顕像化された静電像は、静電像が有する電荷とは逆極性の電界が転写機構２０（例えば、転写ベルトユニット）から搬送される記録用紙に印加されることにより、記録用紙上に転写される。例えば、静電像がマイナス極性の電荷を有しているときは、転写機構２０の印加極性はプラス極性とされる。
【００４６】
転写機構２０は、所定の抵抗値（１×１０9〜１×１０13Ω・ｃｍの範囲）を有する転写ベルトが駆動ローラ、従動ローラおよび他のローラで架橋状態として配置され、感光体１３と転写ベルトとの接触部には駆動ローラ、従動ローラとは異なった導電性で転写電界を印加することが可能な弾性導電性ローラが配置してある。接触部を弾性導電性ローラとすることにより、感光体１３と転写ベルトが線接触でなく、所定の幅（転写ニップと呼ばれる。）を有する面接触となる。つまり、面接触とすることにより搬送される記録用紙への転写効率の向上を図ることが可能となる。
【００４７】
なお、転写ベルトの転写領域の下流側には、搬送された記録用紙が転写領域で印加された電界を除電し、次工程への搬送をスムーズに行なうための除電ローラが転写ベルトの背面に配置されている。また、転写ベルトのトナー汚れと転写ベルトの除電を行なうクリーニングユニット、除電機構が転写機構２０には配置されている。
【００４８】
転写機構２０で記録用紙上に転写された静電像（未定着トナー）は、定着ユニット１６に搬送される。定着ユニット１６は、加熱ローラ、加圧ローラを備えており、加熱ローラ６１の内周部には加熱ローラの表面を所定温度（定着設定温度：概ね１６０〜２００℃）に維持する熱源を有する。また、所定の圧力で加圧ローラを加熱ローラに圧接する加圧部材が加圧ローラの両端部に配置される。
【００４９】
加熱ローラと加圧ローラの圧接部（定着ニップ部と呼ばれる。）に搬送された記録用紙は、加熱加圧される。したがって、記録用紙上の未定着トナーは、加熱ローラの表面温度で溶融され、加圧ローラの圧接力による投鋲作用で記録用紙上に定着することとなる。
【００５０】
画像形成装置１は、高速印字の機能をさらに生かすために排紙収納部としての排紙ユニット５０を排紙搬送路１７ｂに隣接させて配置してある。排紙ユニット５０は、排紙取り出しの容易さを考慮してＬＣＣ１８ａとは反対側の側面に配置してある。
【００５１】
図２は、本発明の実施の形態に係る画像形成装置の排紙ユニットの構成概要を示す側面図であり、（Ａ）は第１排紙トレイへ排出する場合を示し、（Ｂ）は第２排紙トレイへ排出する場合を示す。
【００５２】
本実施の形態に係る画像形成装置１の一部を構成する排紙ユニット５０は、排紙分配先（排出先ともいう。）としての第１排紙トレイ５５および第２排紙トレイ５６（第１排紙トレイ５５および第２排紙トレイ５６を区別する必要がない場合には単に排紙トレイともいう。）を備え、排紙搬送路１７ｂから搬送された記録用紙を第１排紙トレイ５５および第２排紙トレイ５６のいずれかに排出する構成としてある。排紙トレイを少なくとも２個とした場合について説明するが、排紙トレイの数をさらに増やすことも可能である。
【００５３】
排紙搬送路１７ｂから搬送された記録用紙は、排出先切り替え爪５１ａにより排紙分配先としての排紙トレイ（第１排紙トレイ５５、第２排紙トレイ５６）を切り替えられ、第１排紙搬送路１７ｃを選択された場合は第１排紙トレイ５５へ排出され（同図Ａ）、第２排紙搬送路１７ｄを選択された場合は第２排紙トレイ５６へ排出される（同図Ｂ）。排出先切り替え爪５１ａは、排出先切り替え部５１（図３参照。）により制御される。
【００５４】
第１排紙トレイ５５および第２排紙トレイ５６の位置は、トレイ位置制御部５２により適宜調整され、例えば第２排紙トレイ５６へ記録用紙が排出されているときは、第１排紙トレイ５５を上方へ移動させることが可能である。第１排紙トレイ５５が上方へ移動することから、第２排紙トレイ５６へ排出された記録用紙を拡大された空間を利用して容易にかつ迅速に取り出すことが可能となる。なお、第１排紙トレイ５５および第２排紙トレイ５６の位置は、トレイ位置制御部５２の制御により排紙状態と適宜同期させることが可能である。
【００５５】
第１排紙トレイ５５および第２排紙トレイ５６は、例えばそれぞれ２０００枚、合計で４０００枚の排紙（排出された記録用紙）を収納する収納容量を有し、高速印字への対応が可能な仕様としてある。つまり、大きな収納容量とすることにより印字ジョブを停止することなく排紙（記録用紙の排出）を継続できる構成としてある。
【００５６】
印字された記録用紙の排出は、通常は第１排紙トレイ５５に対して実行され、次に第２排紙トレイ５６に対して実行される構成としてある。本実施の形態に係る画像形成装置１は、第１排紙トレイ５５および第２排紙トレイ５６それぞれへ排出する記録用紙に対して分配区分を設定（各排紙分配先への分配枚数の割り当て）する。
【００５７】
つまり、各排紙分配先に対して分配枚数を設定することにより、例えば先の排紙分配先とした第１排紙トレイ５５での収納容量未満（つまり、その排紙トレイが満杯になる前）の分配枚数で排紙分配先を切り替えて第２排紙トレイ５６を次の排紙分配先とする構成としてある。なお、排紙トレイを３個以上とした場合についても同様に分配区分を設定することが可能である。
【００５８】
この構成により、印字要求（印字要求枚数）に対応する排紙枚数を排紙分配先に予め分配した分配枚数に対応させて指定した排紙トレイへ指定した分配枚数の記録用紙を分配（排出）することが可能となる。したがって、排紙トレイに大量に排出される記録用紙をユーザが処理しやすい分配枚数に調整（設定、選択）することが可能となり、高速かつ大量の印字処理で排紙トレイに収納された記録用紙の取り出しを円滑かつ迅速に実行することができる。つまり、印字ジョブを停止させないで記録用紙を取り出すことが可能となり、排紙ジャムを防止することができる。
【００５９】
図３は、本発明の実施の形態に係る画像形成装置の機能制御ブロックの構成概要を示すブロック図である。
【００６０】
本実施の形態に係る画像形成装置１は、中央処理装置（ＣＰＵ）で構成される中央制御部３０を備える。中央制御部３０には、画像形成処理部３１、画像読み取り部１９、ファクシミリ通信部３２、データ通信部３３、操作表示部３４、排紙分配設定手段３５、排出先切り替え部５１、トレイ位置制御部５２などがバス３０ｂを介して接続され、相互に連携して画像形成装置１の機能をコンピュータ制御する構成としてある。
【００６１】
各部（画像形成処理部３１、画像読み取り部１９、ファクシミリ通信部３２、データ通信部３３、操作表示部３４、排紙分配設定手段３５、排出先切り替え部５１、トレイ位置制御部５２など）がそれぞれの機能を実行するときに必要なコンピュータプログラムは、中央制御部３０による制御が可能な態様で予めインストールしてある。例えば、中央制御部３０は、図示しないプログラムメモリを備えることができ、必要なプログラムをプログラムメモリにインストールしておくことが可能である。
【００６２】
画像形成処理部３１は、画像読み取り部１９、ファクシミリ通信部３２、データ通信部３３が取得した画像データに対応する画像を記録用紙に形成する画像形成機構部（露光ユニット１１、現像器１２、感光体１３、帯電器１４、クリーナユニット１５、定着ユニット１６など）および給紙部（給紙カセット１８およびＬＣＣ１８ａ）などを制御する構成としてある。
【００６３】
画像読み取り部１９は一般的な複写機（コピア）として画像データを取得し、ファクシミリ通信部３２は公衆回線（不図示）を介して写真電送機（ファクシミリ）として画像データを取得し、データ通信部３３はＬＡＮ（不図示）を介して印刷機（プリンタ）として画像データを取得する構成としてあることが好ましい。
【００６４】
したがって、画像形成装置１は、ユーザが操作表示部３４から入力した指示（印字要求）に基づいてコピアとして機能（動作）し、ファクシミリ通信部３２での受信（印字要求）に基づいてファクシミリとして機能（動作）し、あるいは、データ通信部３３での受信（印字要求）に基づいてプリンタとして機能（動作）する構成としてある。
【００６５】
つまり、画像形成装置１は、複写機（コピア）、印刷機（プリンタ）、写真電送機（ファクシミリ）それぞれに対応する印字要求を処理する態様としての処理機能モードについて一連の画像形成（印字処理および排紙処理）を実行する構成としてある。
【００６６】
操作表示部３４は、画像形成装置１をコピアとして操作する場合、表示部と操作部を兼用できる表示式のタブレットで構成してある。したがって、操作表示部３４に入力された指示に基づいて中央制御部３０が対応する各部を制御することにより、画像形成装置１の複写機機能が実行される。なお、操作表示部３４は、操作性を考慮して画像形成装置１の手前上面に配置される（不図示）。
【００６７】
排紙分配設定手段３５は、操作表示部３４への入力（指示）に基づいて第１排紙トレイ５５および第２排紙トレイ５６のいずれへ記録用紙をどのような分配枚数で排出するか設定する。つまり、各排紙トレイへ排出する記録用紙の分配区分を設定する。なお、分配区分は、例えば排紙分配先および排紙分配先に対する分配枚数で規定することができる。
【００６８】
また、排紙分配設定手段３５は、設定した分配区分に基づいて排紙ユニット５０（排出先切り替え部５１、トレイ位置制御部５２）に対して記録用紙の排出を実行する構成としてある。つまり、排紙分配設定手段３５は、印字要求（印字要求枚数）に対応して排出される記録用紙の枚数（排紙枚数）について分配区分を設定することにより、排紙分配先に予め割り当てた分配枚数に基づいて各排紙トレイ（第１排紙トレイ５５および第２排紙トレイ５６）へ記録用紙を分配する機能を有する。
【００６９】
したがって、画像形成装置１は、排紙トレイ（第１排紙トレイ５５および第２排紙トレイ５６）に大量に排出される記録用紙の分配枚数をユーザが処理しやすい枚数に調整（設定、選択）することが可能となり、高速かつ大量の印字処理によって各排紙トレイに収納された記録用紙の取り出しを円滑に実行することが可能となる。
【００７０】
排出先切り替え部５１は、記録用紙の排出先を第１排紙トレイ５５および第２排紙トレイ５６のいずれとするか制御するため、記録用紙の分配枚数に基づく排紙分配設定手段３５からの指示に従って排出先切り替え爪５１ａ（図２参照。）の切り替えを制御する。
【００７１】
トレイ位置制御部５２は、排出先の切り替え状態に応じて第１排紙トレイ５５および第２排紙トレイ５６の位置を適宜調整する構成としてある（図２参照。）。つまり、第１排紙トレイ５５への記録用紙の排出を終了し、排出先を第１排紙トレイ５５から第２排紙トレイ５６へ切り替えて第２排紙トレイ５６への記録用紙の排出を行なっているときは、第１排紙トレイ５５の位置を上方へ移動させることにより、第２排紙トレイ５６への記録用紙の排出が終了した状態での第２排紙トレイ５６からの記録用紙の取り出しを容易とすることができる。なお、第１排紙トレイ５５の移動は、第１排紙トレイ５５からの排紙の取り出しを検知した後に実行する形態とすることが好ましい。
【００７２】
図４および図５は、本発明の実施の形態に係る画像形成装置での処理フローの一例を示すフローチャートである。
【００７３】
本実施の形態に係る画像形成装置１は、中央制御部３０および各部（画像形成処理部３１、画像読み取り部１９、ファクシミリ通信部３２、データ通信部３３、操作表示部３４、排紙分配設定手段３５、排出先切り替え部５１、トレイ位置制御部５２など）により以下の処理フローを制御、実行する構成としてある。なお、排紙分配設定手段３５は、ハードウエアで構成する必要はなく、例えば、コンピュータプログラムで実現する構成としてある。
【００７４】
ステップＳ１：
画像形成装置１は、印字要求を受け付ける。印字要求（印字ジョブ）には、例えば複写機（コピア）として機能する場合の印字枚数の設定入力などが含まれる。印字要求を受け付けた後、ステップＳ２へ進む。
【００７５】
例えば複写機として動作する場合には、印字要求は、操作表示部３４からの入力で特定される。なお、印字ジョブには、複写機の場合での印字ジョブに限らず、ファクシミリ、プリンタの場合での印字ジョブについても対象とすることができる。
【００７６】
ステップＳ２：
入力された印字ジョブは多量印字か否かを判定する。多量印字とは、例えば、第１排紙トレイ５５または第２排紙トレイ５６の収納容量を超える印字要求を意味する。したがって、第１排紙トレイ５５、第２排紙トレイ５６それぞれが１０００枚の収納容量を有するときに、１８００枚の印字要求があった場合は、多量印字と判定される。
【００７７】
多量印字でない場合（ステップＳ２：ＮＯ）は、ステップＳ３へ進む。多量印字の場合（ステップＳ２：ＹＥＳ）は、ステップＳ１０へ進む。なお、多量印字か否かの判定は、例えば排紙分配設定手段３５で実行させることが可能である。
【００７８】
ステップＳ３：
多量印字でないことから、通常の印字処理を画像形成処理部３１により実行し、ステップＳ４へ進む。
【００７９】
ステップＳ４：
通常の印字処理であることから、印字された記録用紙（排紙）を第１排紙トレイ５５に排出し、ステップＳ５へ進む。なお、排出先切り替え部５１、トレイ位置制御部５２は、通常の印字処理に対応して所定の位置（通常位置）を維持する構成としてある。
【００８０】
ステップＳ５：
次の印字ジョブがあるか否かを判定する。次の印字ジョブがない場合は、そのまま待機状態として処理フローを終了する。また、次の印字ジョブがある場合は、ステップＳ２へ戻る。なお、次の印字ジョブがあるか否かの判定は、例えば中央制御部３０で実行させることが可能である。
【００８１】
ステップＳ１０：
印字枚数（印字要求枚数）は、排紙を第１排紙トレイ５５に収納するとして、取り出しが容易か否かを判定する。排紙の取り出しが容易の場合（ステップＳ１０：ＹＥＳ）は、ステップＳ３へ進む。排紙の取り出しが容易でない場合（ステップＳ１０：ＮＯ）は、ステップＳ１１へ進む。なお、排紙の取り出しが容易か否かの判定は、例えば排紙分配設定手段３５で実行させることが可能である。
【００８２】
取り出しが容易か否かの判定基準は、例えば、ユーザの取り出し能力（例えば体力で定まる取り出し能力）に応じて設定しておくことが可能である。あるいは、ユーザの平均的な能力を基準にして画像形成装置１に予め設定しておくことも可能である。
【００８３】
例えば、排紙トレイの収納容量が１０００枚である場合、１枚の厚さが１００ミクロンの記録用紙であれば、１０００枚ではおよそ１０ｃｍ強となり、１０００枚を一度に取り出すことは現実的でないことから、例えば約半分強の６００枚を判定基準として設定することができる。
【００８４】
ステップＳ１１：
排紙の取り出しが容易でないことから、印字された記録用紙を各排紙トレイへ分配して排出する排紙分配を選択する旨の表示を行なう。表示は、例えば操作表示部３４を用いて行なう。表示した後、ステップＳ１２へ進む。
【００８５】
排紙分配を選択する旨の表示としては、例えば、「排紙枚数が多量です。排紙トレイを分割して排紙します。第１排紙トレイおよび第２排紙トレイへの排紙枚数を選定入力してください。」といった内容のメッセージとすることが可能である。このような「メッセージ」を操作表示部３４に表示させる指示は、例えば排紙分配設定手段３５により出力させることが可能である。
【００８６】
したがって、６００枚を判定基準とした場合に、印字枚数が９００枚であれば「メッセージ」を表示することとなる。
【００８７】
ステップＳ１２：
排紙分配の内容（排出する記録用紙の分配区分）を例えば排紙分配設定手段３５により設定する。この設定は、ユーザに選択させる構成としても良いし、また、画像形成装置１に予めいくつかの排紙分配の態様を設け、その中から選択する構成としても良い。「分配区分」は、例えば「排紙分配先およびその排紙分配先へ予め割り当てる排紙枚数（分配枚数）」で規定することが可能である。
【００８８】
なお、分配区分で設定される排紙枚数は、排紙トレイの収納容量未満の枚数（分配枚数）に設定し、排紙トレイの収納容量未満の分配枚数で排紙トレイを切り替える構成とすることから、ユーザが取り出しやすい分配枚数に設定することが可能となり、排紙トレイに排出された記録用紙を容易に取り出すことが可能となる。
【００８９】
「排紙分配の内容」の設定では、例えば、排紙分配（の内容）を「排紙枚数」「排紙部数」のいずれに基づいて設定するかを選択させる。
【００９０】
排紙枚数に基づいて分配枚数を設定する場合、例えば以下のように設定することにより、分配枚数に応じて排紙分配先を選定、切り替える構成とすることが可能となる。
【００９１】
例えば、第１排紙トレイ５５、第２排紙トレイ５６共に１０００枚の収納容量がある場合、１６００枚の印字要求に対して、第１排紙トレイ５５に８００枚、第２排紙トレイ５６に８００枚をそれぞれ排出させる分配区分（分配枚数）とすれば良い。なお、８００枚×２分割という数値（分配区分（分配枚数））は、ユーザに入力させる形態としても良い。
【００９２】
あるいは、画像形成装置１に予め基準値を設定しておいて、基準値に対して選定させる形態としても良い。例えば、第１排紙トレイ５５の収納容量を超え、かつ超えた分量を第２排紙トレイ５６で収納することが可能な状態（印字要求が１０００枚以上で２０００枚未満）であることから、できるだけ「均等に２分割」するプログラムを予め設定し、インストールしておくことが可能である。
【００９３】
また、８００枚の取り出しが困難なユーザの場合は、例えば、４００枚×４分割の分配区分（分配枚数）、つまり「第１排紙トレイ５５への排紙４００枚→第２排紙トレイ５６への排紙４００枚および第１排紙トレイ５５から排紙４００枚の取り出し→第１排紙トレイ５５への排紙４００枚および第２排紙トレイ５６から排紙４００枚の取り出し→第２排紙トレイ５６への排紙４００枚および第１排紙トレイ５５から排紙４００枚の取り出し→第２排紙トレイ５６から排紙４００枚の取り出し」として取り出す形態とすることが可能である。なお、４００枚×４分割という数値（分配区分（分配枚数））は、ユーザに入力させる形態としても良い。
【００９４】
あるいは、画像形成装置１に予め基準値を設定しておいて、基準値に対して選定させる形態としても良い。例えば、排紙分配を設定するときの第１排紙トレイ５５、第２排紙トレイ５６への排紙枚数の最大値を６００枚に設定し、１２００枚を超える印字要求に対してはできるだけ均等に分割するプログラムを設定し、インストールしておくことが可能である。このとき、例えば１６００枚を６００枚以下で均等に分配できるのは４００枚となる。
【００９５】
記録用紙４００枚の取り出しは、一般的にどのようなユーザであっても容易に行なえることから、排紙トレイ（第１排紙トレイ５５、第２排紙トレイ５６）の切り替え状態のときに他方の排紙トレイから迅速に取り出すことが可能となり、高速印字の機能を有効に生かすことが可能となる。
【００９６】
さらに、４００枚×４分割の代わりに、「５００枚（第１排紙トレイ５５の１回目）→３００枚（第２排紙トレイ５６の１回目）→５００枚（第１排紙トレイ５５の２回目）→３００枚（第２排紙トレイ５６の２回目）」の組み合わせとすることも可能である。記録用紙を取り出しやすい第１排紙トレイ５５に比較して記録用紙を取り出しにくい第２排紙トレイ５６の記録用紙の枚数を少なくすることにより、第２排紙トレイ５６からの記録用紙の取り出しを容易かつ迅速に行なうことが可能となる。
【００９７】
排紙分配の内容を設定する本ステップでは、各排紙トレイの収納容量未満の分配枚数で排出先を切り替える構成とすることから、排紙の総枚数に応じて排紙分配先を選定、切り替える態様を設定することが可能となる。なお、設定に際しては、画像形成装置１が基準値を提示し、ユーザがそれに対して適宜対応する対話形式のプログラムとすることが好ましい。このときの基準値は、例えば排紙分配設定手段３５により操作表示部３４へ出力、表示させることが可能である。
【００９８】
また、排紙部数に基づいて分配枚数を設定する場合、例えば以下のように処理することが可能であり、分配枚数に応じて排紙分配先を選定、切り替える構成とすることが可能となる。
【００９９】
例えば、第１排紙トレイ５５、第２排紙トレイ５６共に１０００枚の収納容量がある場合、１部３００枚を５部の印字要求、つまり合計１５００枚の印字要求に対して、第１排紙トレイ５５に３部（９００枚）、第２排紙トレイ５６に２部（６００枚）をそれぞれ排出させる分配区分（分配枚数）とすることができる。
【０１００】
つまり、排紙部数に対応させて排紙区分先と分配枚数を割り当てることにより分配区分を設定して、排紙トレイの収納容量未満の分配枚数で排紙分配先を切り替える構成とすることが可能となり、従来のように例えば４部目が第１排紙トレイ（９０１枚目から１０００枚目）と第２排紙トレイ（１００１枚目から１２００枚目）とに分離されるといった不都合な排出を生じるおそれがない。
【０１０１】
また、１部３００枚を５部の印字要求に対して、９００枚の取り出しが困難なユーザの場合は、例えば、部数５を３分割の分配区分（分配枚数）、つまり「２部（第１排紙トレイ５５に２部６００枚）→２部（第２排紙トレイ５６に２部６００枚）→１部（第１排紙トレイ５５に１部３００枚）」として取り出す形態とすることが可能である。
【０１０２】
上述したとおり、排紙分配の内容を枚数基準または部数基準で設定することが可能であるが、その他に、ジョブ、処理機能モードに基づいて分配枚数を設定する構成とすることが好ましい。
【０１０３】
例えば、第１のユーザからの印字要求（第１のジョブ）に対しては、第１排紙トレイ５５を適用し、第２のユーザからの印字要求（第２のジョブ）に対しては、第２排紙トレイ５６を適用するなどとして、ジョブごとに排紙トレイを区分した分配区分（分配枚数）とすることが可能である。なお、排紙トレイの収納容量未満の分配枚数で排紙分配先を切り替えることは、上述した例と同様である。
【０１０４】
この構成により、排紙トレイに対応させて排出された記録用紙とジョブとの関連性を維持することが可能となり、各ジョブに対する記録用紙がジョブ間で混同するおそれが全く生じない。
【０１０５】
なお、ここでは、ジョブとしてユーザ（第１のユーザおよび第２のユーザ）による区分を例として説明したが、同一のユーザでの異なる単位情報による区分（書類Ａは第１排紙トレイ５５に排紙、書類Ｂは第２排紙トレイ５６に排紙）とすることも当然可能である。
【０１０６】
また、処理機能モードによる分配枚数の場合は、例えば、画像形成装置１が備える複写機機能（コピア）、印刷機機能（プリンタ）、写真電送機機能（ファクシミリ）などの処理機能モードに対応させて、処理機能モードごとに排紙トレイを区分した分配区分（分配枚数）とすることが可能である。なお、排紙トレイの収納容量未満の分配枚数で排紙分配先を切り替えることは、上述した例と同様である。
【０１０７】
この構成により、排紙された記録用紙と処理機能モードとで相互に関連性を維持することが可能となり、各処理機能モードに対する排紙が処理機能モード間で混同するおそれが全く生じない。
【０１０８】
ステップＳ１３：
ステップＳ１２で設定された排紙分配の内容（分配区分（排紙分配先および分配枚数））を確認させるために排紙分配の内容を操作表示部３４へ表示する。このときの表示例は、例えば「トレイ名称」および「分配枚数」をセットにして排出順に列挙する形式とすることが可能である。排紙分配の内容を表示することにより、排紙分配の内容（分配枚数）の理解を容易にし、正確に把握することが可能となる。
【０１０９】
例えば、上述した１６００枚を排紙分配する最後の例では、「以下の内容で排紙分配します。確認後、印字処理を実行してください。」「１：第１排紙トレイ＝５００枚、２：第２排紙トレイ＝３００枚、３：第１排紙トレイ＝５００枚、４：第２排紙トレイ＝３００枚」のような表示をさせることが可能である。
【０１１０】
ステップＳ２０・ステップＳ２１：
分配区分の内容（排紙分配先および分配枚数）を確認（ステップＳ１３）した後、印字処理を実行する（ステップＳ２０）。印字された記録用紙は、まず第１排紙トレイ５５へ排出される（ステップＳ２１）。なお、第１排紙トレイ５５への排紙枚数は適宜の計数手段により計数することが可能である。
【０１１１】
ステップＳ２２：
第１排紙トレイ５５へ排出された記録用紙を確認（計数手段により計数した排紙枚数を確認）し、第１排紙トレイ５５への排紙枚数が分配枚数に到達したか否かを判定する。排紙枚数が分配枚数に到達したか否かの判定は、第１排紙トレイ５５へ分配して排出するとした分配枚数を例えば適宜の一時記憶メモリ（不図示）に記憶しておき第１排紙トレイ５５について計数した排紙枚数と比較して実行することができる。
【０１１２】
第１排紙トレイ５５への排紙枚数が分配枚数に到達していない場合（ステップＳ２２：ＮＯ）は、ステップＳ２０へ戻る。第１排紙トレイ５５への排紙枚数が分配枚数に到達している場合（ステップＳ２２：ＹＥＳ）は、ステップＳ２３へ進む。
【０１１３】
ステップＳ２３：
第１排紙トレイ５５に対して所定の分配枚数が排出されたことから、印字処理を一時停止し、ステップＳ２４へ進む。印字処理を一時停止することにより、容易かつ確実に排紙分配および記録用紙の取り出しを実行することが可能となる。
【０１１４】
ステップＳ２４：
印字処理を一時停止した状態で、排出先切り替え部５１により、排出先を第１排紙トレイ５５から第２排紙トレイ５６へ切り替える。なお、排出先を第２排紙トレイ５６に切り替えた旨を操作表示部３４に表示する。排出先を切り替えたことを表示することにより、ユーザは確実かつ安定した状態で第１排紙トレイ５５から記録用紙を取り出すことが可能となる。このとき、上述したとおりトレイ位置制御部５２を用いて第１排紙トレイ５５の位置を変更することが可能である。
【０１１５】
ステップＳ３０・ステップＳ３１：
排出先を第１排紙トレイ５５から第２排紙トレイ５６へ切り替えた（ステップＳ２４）後、印字処理を実行（再開）する（ステップＳ３０）。印字された記録用紙は、切り替えられた排紙分配先である第２排紙トレイ５６へ排紙される（ステップＳ３１）。なお、第２排紙トレイ５６への排紙枚数は適宜の計数手段により計数することが可能である。
【０１１６】
先の排出先としての第１排紙トレイ５５への排紙を終了し、次の排出先としての第２排紙トレイ５６へ排出先を切り替えたとき、つまり、第１排紙トレイ５５へ排出（ステップＳ２１）した記録用紙を外部へ取り出させる取り出し要求報知信号をステップＳ３０（ないしＳ３２の間）で発生する構成とすることが好ましい。
【０１１７】
なお、記録用紙の取り出し要求報知信号の発生は、例えば操作表示部３４への表示、発音手段（不図示）による警告音（または警告音声）の発生などの形態で実行することが可能であり、高速排紙に伴う排紙ジャムを容易かつ確実に防止することが可能となる。
【０１１８】
この構成により、第２排紙トレイ５６へ記録用紙を排出しているときに、第１排紙トレイ５５に排出された記録用紙の取り出しを確実に実行させることが可能となり、第２排紙トレイ５６への排紙に引き続いて再度第１排紙トレイ５５への記録用紙の継続的な排出が可能となる。
【０１１９】
ステップＳ３２：
第２排紙トレイ５６へ排出された記録用紙を確認（計数手段により計数した排紙枚数を確認）し、第２排紙トレイ５６への排紙枚数が分配枚数に到達したか否かを判定する。排紙枚数が分配枚数に到達したか否かの判定は、第２排紙トレイ５６へ分配して排出するとした分配枚数を例えば適宜の一時記憶メモリ（不図示）に記憶しておき第２排紙トレイ５６について計数した排紙枚数と比較して実行することができる。
【０１２０】
第２排紙トレイ５６への排紙枚数が分配枚数に到達していない場合（ステップＳ３２：ＮＯ）は、ステップＳ３０へ戻る。第２排紙トレイ５６への排紙枚数が分配枚数に到達している場合（ステップＳ３２：ＹＥＳ）は、ステップＳ３３へ進む。
【０１２１】
ステップＳ３３：
排出先を再度第１排紙トレイ５５へ切り替えるか否かを判定する。分配区分が例えば３分割以上の場合は、第１排紙トレイ５５へ記録用紙を排出することが必要となる。３分割以上として分配区分を設定した場合（ステップＳ３３：ＹＥＳ）は、ステップＳ２０へ戻る。なお、ステップＳ２０へ戻るとき、ステップＳ２３と同様に印字処理を停止する。２分割として分配区分を設定した場合（ステップＳ３３：ＮＯ）は、ステップＳ３４へ進む。
【０１２２】
ステップＳ３３からステップＳ２０へ戻るとき、あるいは、ステップＳ３３からステップＳ３４へ進むとき、排出された記録用紙が第１排紙トレイ５５または第２排紙トレイ５６から取り出されたか否かを検出する構成（不図示）とすることが好ましい。
【０１２３】
つまり、第１排紙トレイ５５へ排出された記録用紙の取り出しを検出する第１取り出し検出手段（不図示）、および第２排紙トレイ５６へ排出された記録用紙の取り出しを検出する第２取り出し検出手段（不図示）を排紙ユニット５０に備え、第１排紙トレイ５５または第２排紙トレイ５６からの記録用紙の取り出しが検出されたときに以降の印字処理（記録用紙の排出）を継続する構成とする。なお、第１取り出し検出手段および第２取り出し検出手段としては、例えば、重量センサその他のメカニカルな検出センサを適用することが可能である。
【０１２４】
つまり、第１排紙トレイ５５からの記録用紙の取り出しが検出されたときに第１排紙トレイ５５への記録用紙の排出を継続し、第２排紙トレイ５６からの記録用紙の取り出しが検出されたときに第２排紙トレイ５６への記録用紙の排出を継続する構成とする。
【０１２５】
例えば、「第１排紙トレイ５５への記録用紙の排出→第２排紙トレイ５６への記録用紙の排出」のとき、第１排紙トレイ５５へ排出した記録用紙の取り出しが検出されていない状態では、第１排紙トレイ５５への以降の継続的な記録用紙の排出を実行しない形態とする。また、「第１排紙トレイ５５への記録用紙の排出→第２排紙トレイ５６への記録用紙の排出→第１排紙トレイ５５への記録用紙の排出」（３分割以上の分配区分による記録用紙の排出）として、第１排紙トレイ５５へ再度の記録用紙の排出を実行するとき（ステップＳ２０ないしステップＳ２２）、第２排紙トレイ５６へ排出した記録用紙の取り出しが検出されていない状態では、第２排紙トレイ５６への以降の継続的な記録用紙の排出を実行しない形態とする。
【０１２６】
この構成とすることにより、各排紙トレイからの記録用紙の取り出しを確認した後に、以降の排出を継続することから、排紙ジャムを確実に防止することが可能となる。
【０１２７】
なお、排紙分配を実行したとき、第１排紙トレイ５５または第２排紙トレイ５６からの記録用紙の取り出しが検出されないときは、以降の印字処理を停止する構成とすることが好ましい。この構成とすることにより、各排紙トレイからの記録用紙の取り出しを確認できないときは、以降の印字処理（排紙）を停止することから、排紙ジャムを確実に防止することが可能となる。
【０１２８】
なお、排紙枚数が多く、第１排紙トレイ５５および第２排紙トレイ５６への記録用紙の排出後、先の排出先としての第２排紙トレイ５６への記録用紙の排出を終了して次の排出先として再度第１排紙トレイ５５へ排出先を切り替えたとき（ステップＳ３３：ＹＥＳ）、第２排紙トレイ５６へ排出（ステップＳ３１）した記録用紙を外部へ取り出させる取り出し要求報知信号を以降のステップＳ２０（ないしステップＳ２２の間）で発生する構成とすることが好ましい。
【０１２９】
なお、記録用紙の取り出し要求報知信号の発生は、上述した形態（ステップＳ３０、ステップＳ３１）で実行することが可能であり、高速排紙に伴う排紙ジャムを容易かつ確実に防止することが可能となる。
【０１３０】
この構成により、第１排紙トレイ５５へ記録用紙を排出しているときに、第２排紙トレイ５６に排出された記録用紙の取り出しを実行させることが可能となり、第１排紙トレイ５５への記録用紙の排出に引き続いて第２排紙トレイ５６への記録用紙の継続的な排出が可能となる。
【０１３１】
ステップＳ３４：
ステップＳ５と同様に対応する。
【図面の簡単な説明】
【０１３２】
【図１】本発明の実施の形態に係る画像形成装置の構成概要を示す側面図である。
【図２】本発明の実施の形態に係る画像形成装置の排紙ユニットの構成概要を示す側面図であり、（Ａ）は第１排紙トレイへ排出する場合を示し、（Ｂ）は第２排紙トレイへ排出する場合を示す。
【図３】本発明の実施の形態に係る画像形成装置の機能制御ブロックの構成概要を示すブロック図である。
【図４】本発明の実施の形態に係る画像形成装置での処理フローの一例を示すフローチャートである。
【図５】本発明の実施の形態に係る画像形成装置での処理フローの一例を示すフローチャートである。
【符号の説明】
【０１３３】
１  画像形成装置
１１  露光ユニット
１２  現像器
１３  感光体
１４  帯電器
１５  クリーナユニット
１６  定着ユニット
１７  用紙搬送路
１７ａ  給紙搬送路
１７ｂ  排紙搬送路
１７ｃ  第１排紙搬送路
１７ｄ  第２排紙搬送路
１８  給紙カセット
１８ａ  大容量給紙カセット（ＬＣＣ）
１９  画像読み取り部
２０  転写機構
３０  中央制御部
３１  画像形成処理部
３２  ファクシミリ通信部
３３  データ通信部
３４  操作表示部
３５  排紙分配設定手段
５０  排紙ユニット
５１  排出先切り替え部
５２  トレイ位置制御部
５５  第１排紙トレイ
５６  第２排紙トレイ
【図１】
2008019042.tif 000003
【図２】
2008019042.tif 000004
【図３】
2008019042.tif 000005
【図４】
2008019042.tif 000006
【図５】
2008019042.tif 000007